(57)【要約】【課題】マクロビジョン信号が重畳されたテレビ放送信号であっても同期信号検出を適切に実行可能なテレビジョンを提供する。【解決手段】テレビ放送信号の同期信号を検出し、該同期信号に同期しつつテレビ放送信号に基づく映像表示処理を実行するテレビジョンにおいて、同期分離回路１２ｆが所定のスライスレベルで検出した同期信号を取得する同期信号検出部Ｍ１と、同期信号の幅が所定幅以下である場合に偽信号と判定する同期幅判定部Ｍ２と、同期検出部のスライスレベルを変更しつつ上記偽信号の最も少ないスライスレベルを探索して同期分離回路１２ｆの所定のスライスレベルとして設定するスライスレベル設定部Ｍ３と、を備えさせる。【選択図】図２
2009147662.tif 000002
【特許請求の範囲】
【請求項１】
テレビ放送信号の同期信号を検出し、該同期信号に同期しつつテレビ放送信号に基づく映像表示処理を実行するテレビジョンにおいて、
所定のスライスレベルで同期信号を検出する同期信号検出手段と、
上記同期信号のうち幅が所定幅以下であるものを偽信号と判定する同期幅判定手段と、
上記同期信号検出手段のスライスレベルを変更しつつ上記偽信号の最も少ないスライスレベルを探索して上記同期信号検出手段の所定のスライスレベルとして設定するスライスレベル設定手段と、
を備えることを特徴とするテレビジョン。
【請求項２】
上記同期幅判定手段と上記スライスレベル設定手段が、テレビ放送信号から自動で放送周波数を探索するオートサーチ時にスライスレベルの調整を実行し、調整されたスライスレベルと発見された放送周波数とを関連付けて記憶する請求項１に記載のテレビジョン。
【請求項３】
上記同期幅判定手段と上記スライスレベル設定手段が、所定時間間隔で常時スライスレベルの調整を実行している請求項１または請求項２に記載のテレビジョン。
【請求項４】
上記同期幅判定手段と上記スライスレベル設定手段が、選局信号入力時に実行される請求項１〜請求項３の何れか一項に記載のテレビジョン。
【請求項５】
強電入力時には、上記スライスレベル設定手段はスライスレベルを下げる方向に変更しつつスライスレベルの探索を行う請求項１〜請求項４の何れか一項に記載のテレビジョン。
【請求項６】
弱電入力時には、上記スライスレベル設定手段はスライスレベルを上げる方向に変更しつつスライスレベルの探索を行う請求項１〜請求項５の何れか一項に記載のテレビジョン。
【請求項７】
テレビ放送信号の同期信号を検出し、該同期信号に同期しつつテレビ放送信号に基づく映像表示処理を実行するテレビジョンにおいて、
上記同期信号検出手段は同期分離回路にて分離された同期信号を取得するマイコンの処理により実現され、
上記同期幅判定手段とスライスレベル設定手段とは上記マイコンの処理により実現され、
上記同期幅判定手段と上記スライスレベル設定手段は、テレビ放送信号から自動で放送周波数を探索するオートサーチ時にスライスレベルの調整を実行しつつ、調整されたスライスレベルと発見された放送周波数とを関連付けて記憶するとともに、所定時間間隔で常時スライスレベルの調整を実行しつつ、選局信号が入力された時にも実行され、
強電入力時には、上記スライスレベル設定手段はスライスレベルを下げる方向に変更しつつスライスレベルの探索を行うとともに、
弱電入力時には、上記スライスレベル設定手段はスライスレベルを上げる方向に変更しつつスライスレベルの探索を行う請求項１に記載のテレビジョン。
【発明の詳細な説明】
【技術分野】
【０００１】
本発明は、テレビジョンに関し、特に、テレビ放送信号の同期信号を検出し、該同期信号に基づく同期検波により映像信号を抽出するテレビジョンに関する。
【背景技術】
【０００２】
テレビジョンにおいてテレビ放送信号の同期信号検出は、スライスレベル固定で行うことが一般的である。しかしながら放送局の出力や受信状況次第では、同期信号の強度が変動したり（例えばテレビ放送信号のザグ等）、電界強度の低下等に起因してＳ／Ｎ比が低下したりする。
【０００３】
このような問題に対処する技術として、閾値を複数用意しておき、例えばザグ発生中のテレビ放送信号から適正な数の同期信号を検出できる閾値をスライスレベルとし、スライスレベルの適正化を実現する技術がある（例えば特許文献１参照）。また、電界強度をＡＧＣ回路の自動利得制御信号により判定し、電界強度が弱い場合には同期信号検出のスライスレベルをトップ側に変更し、電界強度が強い場合には同期信号のスライスレベルをペデスタル側に変更する技術もある（例えば特許文献３参照）。また、同期信号のエッジが検出できないときにはスライスレベルをペデスタル側に変更しながら同期検出を行う一方、同期信号のエッジを検出しているときはスライスレベルをトップ側に変更しつつ先頭値に到達するまで同期検出を行い、同期検出された中で最適なスライスレベルを設定することが開示されている（例えば特許文献２参照）。
【０００４】
また、テレテキスト信号の抜き取りタイミングの最適化の為に、予め想定されている抜き取りタイミング（基本的に同期信号部分）とスライスレベルとの差分を取り、パリティチェックを行い、パリティチェックでパリティエラーが検出された場合は、位相歪みが発生しているものと判断して、抜き取りタイミングを変更する技術（例えば特許文献４参照）や、映像信号の性質によって同期信号の閾値レベルを適切に設定する技術（例えば特許文献６参照）も知られている。
【０００５】
その他、光通信伝送路上での光受信信号波形劣化を防止するために、アイ開口部の大きさを最も広くなるように制御するために、光受信信号を３つの識別レベルで識別し、上と下の識別レベルによるデータ出力エラーが最小と成るように識別レベルを制御する技術も知られている（例えば特許文献５参照）。
【特許文献１】特開平９−１８６９１０号公報
【特許文献２】特開平７−１１５５６４号公報
【特許文献３】実用新案登録第３０８６３３０号公報
【特許文献４】特開２００３−２７４３７３号公報
【特許文献５】特開２００３−７８５７５号公報
【特許文献６】特開平３−２３７７５号公報
【発明の開示】
【発明が解決しようとする課題】
【０００６】
ところで、近年、同期信号検出を妨げる要因としてマクロビジョン信号の存在が浮上してきている。マクロビジョン信号は、Ｈ１０〜Ｈ１７，Ｈ２７３〜Ｈ２８０に重畳される信号であり、規格以上に明るい白（１００％白以上に明るい信号）や、規格以下に暗い黒として記録される。規格以上に明るい白はペデスタルレベルよりも上側に突出する信号なのでペデスタルレベルよりも下にある同期信号の検出には影響しない。しかし、規格以上に暗い黒の信号はペデスタルレベルよりも下側に突出する信号であり、同期信号検出に影響してしまう。
【０００７】
本発明は、上記課題に鑑みてなされたもので、マクロビジョン信号が重畳されたテレビ放送信号であっても同期信号検出を適切に実行可能なテレビジョンの提供を目的とする。
【課題を解決するための手段】
【０００８】
上記課題を解決するために、本発明のテレビジョンは、テレビ放送信号の同期信号を検出し、該同期信号に同期しつつテレビ放送信号に基づく映像表示処理を実行するテレビジョンにおいて、所定のスライスレベルで同期信号を検出する同期信号検出手段と、上記同期信号の幅が所定幅以下である場合に偽信号と判定する同期幅判定手段と、上記同期検出手段のスライスレベルを変更しつつ上記偽信号の最も少ないスライスレベルを探索して上記同期信号検出手段の所定のスライスレベルとして設定するスライスレベル設定手段と、を備える構成としてある。
【発明の効果】
【０００９】
以上説明したように本発明によれば、マクロビジョン信号が重畳されたテレビ放送信号であっても同期信号検出を適切に実行可能なテレビジョンの提供が可能となる。
また請求項２にかかる発明によれば、各放送局に最適なスライスレベルが予め設定される。
そして請求項３にかかる発明によれば、信号強度の突然の変化や、マクロビジョン信号が重畳されたりされなかったりするチャンネル等の存在に、確実に対応可能になる。
さらに請求項４にかかる発明によれば、マクロビジョン信号の使用不使用が放送局毎に異なる場合や、同一の放送局であってもマクロビジョン信号の使用不使用が番組毎に異なる場合等に、対応可能となる。
また請求項５にかかる発明によれば、強電入力時における好適なスライスレベルの探索が可能となる。
そして請求項６にかかる発明によれば、弱電入力時における好適なスライスレベルの探索が可能となる。
さらに請求項７のような、より具体的な構成において、上述した請求項１〜請求項６の各発明と同様の作用を奏することはいうまでもない。
【発明を実施するための最良の形態】
【００１０】
本明細書及び添付図面の記載により、少なくとも、以下の事項が明らかとなる。
前記主たる発明の構成によれば、同期信号検出手段は、所定のスライスレベルで同期信号を検出する。ここで所定のスライスレベルとは、例えば、工場出荷時に設定されるスライスレベルを初期値としつつ、スライスレベル設定手段によりスライスレベルが設定された場合は、設定されたスライスレベルを所定のスライスレベルとする。同期幅判定手段は、上記同期信号の幅が所定幅以下である場合に偽信号と判定する。さらに、所定幅をＨ１とした場合に所定幅Ｈ１以下であるか否かの判定に加え、所定幅Ｈ２（Ｈ１＜Ｈ２）以上であるか否かの判定を行っても構わない。すなわち、Ｈ１以上であり且つＨ２以下の信号を同期信号と判定し、Ｈ１より小さい幅の信号やＨ２より大きな幅の信号は偽信号と判定するのである。スライスレベル設定手段は、上記同期検出手段のスライスレベルを変更しつつ上記偽信号の最も少ないスライスレベルを探索して上記同期信号検出手段の所定のスライスレベルとして設定する。
【００１１】
また、スライスレベル探索が実行されるタイミングに関する本発明の選択的な一側面として、上記同期幅判定手段と上記スライスレベル設定手段が、テレビ放送信号から自動で放送周波数を探索するオートサーチ時にスライスレベルの調整を実行し、調整されたスライスレベルと発見された放送周波数とを関連付けて記憶する構成としてある。該構成によれば、受信可能な放送局ではあるにも関わらず、マクロビジョン信号や弱電入力に起因してオートサーチに失敗していた放送局であっても、探索可能となる。また、オートサーチ時に各放送局に最適なスライスレベルが設定されるため、オートサーチ処理および以後の受信処理が効率化されて好適である。
【００１２】
また、本発明の選択的な一側面として、上記同期幅判定手段と上記スライスレベル設定手段が、所定時間間隔で常時スライスレベルの調整を実行している構成としてある。チャンネル間、番組間、時間の経過、等でマクロビジョン信号の重畳の有無が変化する場合であっても、確実に最適なスライスレベルを設定して放送信号を受信可能となる。よって、信号強度の突然の変化や、マクロビジョン信号が重畳されたりされなかったりするチャンネル等の存在に、確実に対応可能になる。
【００１３】
また、スライスレベル探索が実行されるタイミングに関する本発明の選択的な一側面として、上記同期幅判定手段と上記スライスレベル設定手段が、選局信号入力時に実行される構成としてある。すなわち、マクロビジョン信号の使用不使用が放送局毎に異なる場合や、同一の放送局であってもマクロビジョン信号の使用不使用が番組毎に異なる場合、さらには出力が異なる場合等に、容易に対応可能となる。
【００１４】
また、スライスレベル探索に関する本発明の選択的な一側面として、強電入力時には、上記スライスレベル設定手段はスライスレベルを下げる方向に変更しつつスライスレベルの探索を行う構成としてある。よって、強電入力時における好適なスライスレベルの探索が可能となる。
【００１５】
また、スライスレベル探索に関する本発明の選択的な一側面として、弱電入力時には、上記スライスレベル設定手段はスライスレベルを上げる方向に変更しつつスライスレベルの探索を行う構成としてある。よって、弱電入力時における好適なスライスレベルの探索が可能となる。
【００１６】
以下、下記の順序に従って本発明の実施形態を説明する。
（１）テレビジョンの構成：
（２）スライスレベル調整処理：
（３）まとめ：
【００１７】
（１）テレビジョンの構成： 
以下、図１〜図６を参照しつつ、本発明のテレビジョンについて説明する。図１は、本発明の実施形態におけるテレビジョンの構成を示すブロック図である。本実施形態では表示器として液晶パネルを備えた液晶テレビを例にとって説明を行うが、むろん、ブラウン管テレビやプラズマテレビであってもよいし、チューナを備えさえすれば自機内には表示器を備えなくともよく、例えば、ＨＤＤレコーダやＤＶＤレコーダ等の録画／再生機器などであっても本発明を適用可能である。なお、同図においては図の簡略化のため映像信号の処理系統のみを示してある。
【００１８】
図１において、テレビジョン１００は、チューナ１０と、中間周波増幅回路１１と、１チップＩＣ１２と、ＡＦＴ回路１３と、液晶ドライバ１４と、液晶モジュール１６と、サブマイコン１８と、不揮発性メモリ２０と、を備えている。以上の構成は、ＩＩＣ等のバスを介して互いに通信可能に接続されている。該構成において、チューナ１０にはアンテナを介してテレビ放送信号が入力されており、チューナ１０は、入力されたテレビ放送信号から選択されたチャンネルの周波数を選局し、選局した周波数の信号を増幅して中間周波信号として出力する。
【００１９】
チューナ１０は、例えば、ＰＬＬシンセサイザ方式の選局方式が採用可能であり、局部発振周波数の制御により、受信可能な周波数を制御することができる。この周波数制御はマイコン１２ｇの制御に従って行われる。より具体的には、チューナ１０はマイコン１２ｇの出力するＡＦＴ信号に従ってチャンネルに対応する搬送周波数を選局し、受信した周波信号を高周波増幅するとともにヘテロダイン検波によって中間周波信号に変換する。チューナ１０で生成された中間周波信号は１チップＩＣ１２に出力される。
【００２０】
中間周波増幅回路１１は、中間周波信号を必要な大きさに増幅する。この中間周波増幅においては、後述のＡＧＣ回路１２Ｂから出力されるＩＦ−ＡＧＣ電圧に対応して増幅率が決定される。
【００２１】
ここでＡＦＴ回路１３について説明する。チューナ１０が生成した中間周波信号の周波数は５８．７５ＭＨｚであることが望ましいがテレビ電波の受信状況によって誤差が生じる。そこで、ＡＦＴ回路１３を設け、ＡＦＴ回路１３にて中間周波増幅回路１１における中間周波信号の周波数に基づくＡＦＴ電圧を作成する。具体的には、中間周波増幅回路１１の中間周波信号から映像搬送波を取り出し、ＦＭ検波回路にて同映像搬送波と基準周波数（５８．７５ＭＨｚ）とのずれに応じた電圧を生成し、同電圧を直流増幅することによりＡＦＴ電圧を生成する。ＡＦＴ電圧が入力されたチューナ１０においては、局部発信回路に同ＡＦＴ電圧を作用させることにより、中間周波信号の周波数を５８．７５ＭＨｚに収束させる。なお、中間周波信号の周波数が低周波側にずれている場合には、高いＡＦＴ電圧が出力され、局部発信回路における発信周波数が上昇する。反対に、中間周波信号の周波数が高周波側にずれている場合には、低いＡＦＴ電圧が出力され、局部発信回路における発信周波数が低下する。
【００２２】
１チップＩＣ１２は、映像検波回路１２ａと、ＡＧＣ回路１２ｂと、Ｙ／Ｃ分離回路１２ｃと、色復調回路１２ｄと、マトリクス回路１２ｅと、同期分離回路１２ｆと、マイコン１２ｇと、を備えている。マイコン１２ｇは、ＣＰＵ，ＲＡＭ，ＲＯＭから成るプログラム実行環境を備えており、サブマイコン１８と通信を行いつつ、ＣＰＵがＲＭＡをワークエリアとして使用しつつＲＯＭに記憶されたプログラムを実行することにより１チップＩＣ１２の制御およびテレビジョン１００全体の制御を行う。になお、本実施形態では各部１２ａ〜１２ｇが１チップＩＣ１２に集積されているものとして記載してあるが、無論、各回路が個別に形成されていても構わない。
【００２３】
上記１チップＩＣ１２において、映像検波回路１２ａは、変調された信号（搬送波信号＋被搬送波信号）から被搬送波信号を取り出す。すなわち、中間周波信号から復号映像信号（輝度信号＋搬送波抑圧直角二相変調された搬送色信号＋同期信号）を取り出す。取り出された復号映像信号は、ＡＧＣ回路１２ｂとＹ／Ｃ分離回路１２ｃと同期分離回路１２ｆとに出力される。
【００２４】
ＡＧＣ回路１２ｂは映像検波回路１２ａから出力された複合映像信号（映像検波出力）を取得し、映像検波出力の同期信号の大きさに応じたＲＦ−ＡＧＣ電圧およびＩＦ−ＡＧＣ電圧を生成する。ＲＦ−ＡＧＣ電圧はチューナ１０に入力され、チューナ１０はＲＦ−ＡＧＣ電圧が高いほど増幅率を低下させる自動利得調整を行う。同様にＩＦ−ＡＧＣ電圧は中間周波増幅回路１１に入力され、中間周波増幅回路１１もＩＦ−ＡＧＣ電圧が高いほど増幅率を低下させる自動利得調整が行われる。このようにチューナ１０と中間周波増幅回路１１で行われる増幅により、１チップＩＣ１２に入力される映像信号強度は、同期信号の大きさで規格化された理想的な値に調整されることになる。ちなみに、これらチューナ１０や中間周波増幅回路１１はフォワード型で記載してあるが、無論、リバース型であってもよい。
【００２５】
次に、Ｙ／Ｃ分離回路１２ｃが、復号映像信号のＹ／Ｃ分離を行って輝度信号（Ｙ）をマトリクス回路１２ｅに、搬送色信号（Ｃ）を色復調回路１２ｄにそれぞれ出力する。さらに同期分離回路１２ｅが、所定のスライスレベルにて復号映像信号の同期分離を行い、得られた同期信号をマイコン１２ｇに出力する。所定のスライスレベルは、マイコン１２ｇの制御に従って変更可能になっている。すなわち同期信号を検出しマイコン１２ｇに出力する同期分離回路１２ｆおよび同期分離回路１２ｆから同期信号を受付けるマイコン１２ｇが同期信号検出手段を構成する。同期分離の際には、ペデスタルレベルクランプ回路等を用いてペデスタルレベルをクランプするとよい。同期信号はマイコン１２ｇのみならず、１チップＩＣの他の構成および、チューナ１０、液晶ドライバ１４、液晶モジュール１６、サブマイコン１８等、テレビジョン１００を構成する他の構成にも、バスを介して供給される。
【００２６】
分離された搬送色信号は、色復調回路１２ｄにおいてＲ‐Ｙ及びＢ‐Ｙの色差信号に復調された後、マトリクス回路１２ｅに出力される。マトリクス回路１２ｅにおいては、入力された輝度信号と色差信号とに基づいてマトリクス変換処理を行い、画像データとしてのＲＧＢ信号を生成する。
【００２７】
ここでマイコン１２ｇが実行するオートサーチ機能とオートメモリ機能について説明する。オートサーチ機能とはテレビ放送信号から自動で放送周波数を探索する機能であり、オートメモリ機能とはオートサーチ機能にて発見された周波数を自動で放送周波数リストとして記憶する機能である。すなわち、マイコン１２ｇは、ＡＧＣ回路１２Ｂの出力する受信信号レベルに基づいて、チューナ１０の局部発振周波数を制御することにより受信周波数を制御し、中間周波増幅回路１１への制御信号を発生し、作成した受信周波数リストを不揮発性メモリ２０に記憶させる。オートサーチ機能が実行されると、マイコン１２ｇは、チューナの局部発振周波数を決められた周波数範囲に渡って一定の周波数ステップで掃引する。すなわち、テレビジョン１００の受信周波数を掃引する。この各周波数ステップにおいて、その１チップＩＣ１２での出力レベルをモニタし、テレビ放送信号が受信できればその受信周波数をオートメモリ機能により不揮発性メモリ２０に記憶する。
【００２８】
液晶ドライバ１４は、画素数変換回路と、画質調整回路と、出力処理回路と、フレームメモリとを有している。画素数変換回路は、マトリクス回路１２ｅから入力されたＲＧＢ信号に対してスケーリング処理を行って、液晶パネル１６ａに表示される１画面分のＲＧＢ信号を生成する。そして、１画面分のＲＧＢ信号を画素情報としてフレームメモリに格納する。画質調整回路は、画素数変換回路によってフレームメモリに格納されたＲＧＢ信号に対して、ブライトネス、コントラスト、黒バランスおよび白バランスの調整を行う。出力処理回路は、画質調整回路によって画質調整が施されたＲＧＢ信号に対して、ガンマ補正、ディザ処理等を行うとともに、背景信号、ＯＳＤ信号、ブランキング信号等を付加して液晶パネル１５ａに出力し、画像を表示させる。
【００２９】
液晶モジュール１６は、液晶パネル１６ａと、液晶パネル１６ａを背面から照射するバックライト１６ｂと、入力された電源電圧から生成した所定の電圧をバックライト１６ｂに供給して点灯させるインバータ１６ｃとを備える。バックライト１６ｂが放電灯で構成される場合は、インバータ１６ｃは入力された電源電圧を交流電圧に変換した上でバックライト１６ｂに供給し、バックライト１６ｂがダイオード等の直流駆動型の光源を利用する場合は、適切な電圧値に変換してバックライト１６ｂに供給する。
【００３０】
サブマイコン１８は、ＣＰＵ１８ａと、ＲＡＭ１８ｂと、ＲＯＭ１８ｃと、リモコン受信部１８ｄと、を備える。サブマイコン１８は、テレビジョン１００の各部と電気的に接続されており、各部を有機的に制御することによりテレビジョンとして動作させている。例えば、ユーザがリモコン３０に所定のチャンネル選局操作をすると、該操作に対応するリモコン信号をリモコン受信部１８ｄで受信し、選局されたチャンネルに対応する周波数の選局命令を１チップＩＣやチューナに出力して、ユーザの所望のチャンネルが選択されるように制御する。
【００３１】
（２）スライスレベル調整処理： 
以上のように構成されたテレビジョン１００において、同期信号の強度レベルに近い信号強度のマクロビジョン信号が重畳されたテレビ放送信号を受信すると、同期信号の検出に失敗して画像流れなどが発生する懼れがある。そこで、本発明においては、マクロビジョン信号が重畳されたテレビ放送信号が入力された場合であっても、マイコン１２ｇで同期分離回路１２ｆのスライスレベルを調整することにより、適切に同期検出可能にするスライスレベル調整処理を行う。
【００３２】
マイコン１２ｇにて実行されるスライスレベル調整プログラムは、図１に示すように同期信号検出部Ｍ１と、同期幅判定部Ｍ２と、スライスレベル設定部Ｍ３とを実現している。該構成によれば、同期信号検出部Ｍ１は、同期分離回路１２ｆの検出した同期信号を取得する。同期幅判定部Ｍ２は、同期信号検出部Ｍ１の取得した同期信号のうち、同期信号の幅が所定幅以下であるものについては偽信号と判定する。スライスレベル設定部Ｍ３は、同期幅判定部Ｍ２の判定結果に基づいて、同期分離回路１２ｆのスライスレベルを変更しつつ偽信号の最も少ないスライスレベルを探索して同期分離回路１２ｆの所定のスライスレベルとして設定する。
【００３３】
スライスレベル調整処理は、例えば前述したオートサーチ時に実行されたり、所定時間間隔で常時実行されたり、チャンネル切換が行われたときに行われたりする。オートサーチ時にスライスレベルの調整を行うと、チャンネル毎に最適なスライスレベルが設定されると共に、オートサーチ時以外の処理を低減可能となる。また、チャンネル切換時にスライスレベル調整を行えば、特定の放送局でマクロビジョン信号の重畳が行われている場合に、容易に対処可能となる。また、所定時間置きに本処理を実行すれば、チャンネル切換時のみならず、同一チャンネルでマクロビジョン信号の重畳された番組と重畳されていない番組とが混在している場合であっても確実に対応可能となる。
【００３４】
以下、図２のフローチャートを参照して、マイコン１２ｇの実行するスライスレベル調整処理について詳細に説明する。処理が開始されると、Ｓ１０で、マイコン１２ｇが標準のスライスレベルでの同期検出を同期分離回路１２ｆに指示する。図３は、ペデスタルレベルと先頭値とを説明する図である。図３に示すように、標準のスライスレベルとは、例えば、ペデスタルレベルの電圧を１００％、先頭値の電圧を０％とすると、その間の電圧値であり、例えば５０％の電圧値等である。無論、０〜１００％何れの値を標準としてもよく、マクロビジョン信号の重畳の無いテレビ放送信号において最も同期検出しやすいスライスレベルを標準とすればよい。なお、先頭値とは、同期信号が最大レベルで受信されているときの下端値のことである。
【００３５】
Ｓ１２では、Ｓ１０の同期検出が成功したか否かを判断する。この判断は、同期信号が所定値以上の幅を有しているか否かで行う。図４、図５は同期検出を説明する図である。図４に示すように同期検出においては、所定値より幅の広い信号を同期信号と判断する一方、所定値より幅が小さい信号はノイズやマクロビジョン信号等の偽信号と判断する（エラー判定）。より具体的には、同期信号の立ち下がりを検出してから所定時間経過後に同期信号の立ち上がりを検出した場合にのみ同期検出成功とする。また、信号が連続的に入力された場合に同期信号よりも幅広の偽信号が発生する可能性もあるため、図５に示すように、幅が所定の範囲内に収まるものを同期信号と判断してもよい。すなわち同期信号の立ち下がりを検出してから第一所定時間経過するまで立ち上がりを検出せず且つ、第二所定時間が経過するまでに立ち上がりを検出したことを条件とするのである。なお、同期検出した場合は、同期検出した旨と偽信号の検出数（エラー数）とをＲＡＭ等のメモリに記憶しておく。Ｓ１２において、同期検出成功の場合はＳ２２に進み、同期検出失敗した場合はＳ１４に進む。
【００３６】
Ｓ１４では、スライスレベルを所定量上昇させて同期検出を実行する。すなわち、信号強度が小さいものと判断して、スライスレベルをよりペデスタルレベル側に変更する。このように徐々にスライスレベルをペデスタル側に変更して再検出を実行することで、弱電入力時であっても、受信可能な放送信号が存在する周波数を確実に検出可能となる。
【００３７】
Ｓ１６では、Ｓ１４において同期検出成功したか否かを判断する。同期検出成功した場合は、Ｓ１４のスライスレベルにて同期検出成功した旨と、該スライスレベルにおけるエラー数とをＲＡＭ等のメモリに記憶し、Ｓ１８に進む。一方、同期検出失敗した場合はメモリへの記憶は行わずにＳ１８に進む。
【００３８】
Ｓ１８では、スライスレベルの最大値まで同期検出を試みたか否かを判断する。すなわちスライスレベルがペデスタルレベルに到達しているか否かを判断する。スライスレベルがペデスタルレベルに到達していない場合は、ステップＳ１４に戻りスライスレベルを上昇してさらに同期検出を試みる。一方、スライスレベルがペデスタルレベルに到達、もしくは再度スライスレベルを上昇するとペデスタルレベルを上回ってしまう場合は、スライスレベルが最大値に到達していると判断してＳ２０に進む。
【００３９】
Ｓ２０では、同期検出成功したスライスレベルの中から最適なスライスレベルを選択して該スライスレベルによる同期信号検出を同期分離回路に指示する。図６は最適なスライスレベル選択を説明する図である。該選択においては、偽信号の最も少ないスライスレベルを最適なスライスレベルとする。すなわち、メモリに記憶されている同期検出成功したスライスレベルの中で、最もエラー数が少ないスライスレベルを、最適なスライスレベルとして選択するのである。なお、本処理がオートメモリ中に実行されているのであれば、最適なスライスレベルをオートメモリ中のチャンネルに対応付けて不揮発性メモリに記憶させて、オートメモリ処理を続行する。また、本処理が、所定時間置きに実行されている場合や、チャンネル変更時に実行されている場合は、同期分離回路１２ｆに最適なスライスレベルを指示して、処理を終了する。
【００４０】
Ｓ２２では、Ｓ１０において既に同期検出が成功しているので、さらに最適なスライスレベルの探索を実行するためにスライスレベルを所定量下降させる。すなわち、スライスレベルを先頭値側に変更して、より好適なスライスレベルが存在するか否かを探索するのである。これは一般に、マクロビジョン信号やノイズ等はペデスタルレベルから立ち上がるものであり、ペデスタルレベルに近いほど多くの偽信号が存在し、偽信号のカウント数は、先頭値側に近づくほど減少する可能性が高いためである。よって強電入力時に、より好適なスライスレベルの選択が可能になる。
【００４１】
Ｓ２４では、同期検出失敗したか否かを判断する。Ｓ２４において同期検出失敗した場合は、Ｓ１０で設定されたスライスレベルが既に先頭値付近であったことを意味するため、ステップＳ１４に戻ってスライスレベルを上昇させつつ最適なスライスレベルの探索を継続する。一方、同期検出成功した場合は、同期検出成功した旨と、エラー数とをメモリに記憶させ、ステップＳ２２に戻る。同期検出失敗した場合にＳ１４に戻らず、Ｓ１０で検出されたスライスレベルを最適なスライスレベルとして同期分離回路１２ｆに指示し、本処理を終了しても良い。
【００４２】
以上、Ｓ１２，１６，２４において、所定のスライスレベルで検出された信号の幅が所定値以上であれば同期信号と検出する一方、所定値以下である場合にエラー判定するマイコン１２ｇが同期し幅判定手段を構成する。また、Ｓ１０〜Ｓ２４において、同期分離回路のスライスレベルを変更しつつエラー数の最も少ないスライスレベルを探索し、該エラー数の最も少ないスライスレベルを同期信号検出手段のスライスレベルとして設定するマイコン１２ｇがスライスレベル設定手段を構成する。
【００４３】
（３）まとめ： 
以上説明したように、上記実施形態においては、テレビ放送信号の同期信号を検出し、該同期信号に同期しつつテレビ放送信号に基づく映像表示処理を実行するテレビジョンにおいて、同期分離回路１２ｆが所定のスライスレベルで検出した同期信号を取得する同期信号検出部Ｍ１と、同期信号の幅が所定幅以下である場合に偽信号と判定する同期幅判定部Ｍ２と、同期検出部のスライスレベルを変更しつつ上記偽信号の最も少ないスライスレベルを探索して同期分離回路１２ｆの所定のスライスレベルとして設定するスライスレベル設定部Ｍ３と、を備えさせる。該構成により、マクロビジョン信号が重畳されたテレビ放送信号であっても同期信号検出を適切に実行可能なテレビジョンを提供可能となる。
【００４４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４５】
【図１】テレビジョンのブロック構成図である。
【図２】スライスレベル調整処理のフローチャートである。
【図３】同期信号とスライスレベルの説明図である。
【図４】同期信号と偽信号の幅を説明する図である。
【図５】同期信号と偽信号の幅を説明する図である。
【図６】スライスレベル変更とエラー数の関係を説明する図である。
【符号の説明】
【００４６】
１０…チューナ、１１…中間周波増幅回路、１２…１チップＩＣ、１２ａ…映像検波回路、１２ｂ…ＡＧＣ回路、１２ｃ…Ｙ／Ｃ分離回路、１２ｄ…色復調回路、１２ｅ…マトリクス回路、１２ｆ…同期分離回路、１２ｇ…マイコン、１３…ＡＦＴ回路、１４…液晶ドライバ、１６…液晶モジュール、１６ａ…液晶パネル、１６ｂ…バックライト、１６ｃ…インバータ、１８…サブマイコン、１８ａ…ＣＰＵ、１８ｂ…ＲＡＭ、１８ｃ…ＲＯＭ、１８ｄ…リモコン受信部、２０…不揮発性メモリ、３０…リモコン、１００…テレビジョン
【図１】
2009147662.tif 000003
【図２】
2009147662.tif 000004
【図３】
2009147662.tif 000005
【図４】
2009147662.tif 000006
【図５】
2009147662.tif 000007
【図６】
2009147662.tif 000008